(57)【要約】  ハウジングと、ハウジングの中で回転するシリンダー装置とからなるロック装置において、前記ハウジングには内部にシリンダー装置の回転を防止することができる突出爪が形成されると共に、前記シリンダー装置は、モーターと、前記モーターを収容するシリンダーと、前記シリンダーの前に位置し前記モーターが正回転することによって上部が傾いて前記ハウジングの突出爪と結合し、前記モーターが逆回転することによって前記ハウジングの突出爪との結合が解除されるリセスが形成されるチルト器具と、前記チルト器具に結合するロッキングプレートのアダプターと、前記ロッキングプレートのアダプターに結合するロッキングプレートとを有するロック装置が開示される。
2008538396.tif 000002
【特許請求の範囲】
【請求項１】
ハウジングと、ハウジングの中で回転するシリンダー装置とからなるロック装置において、前記ハウジングには内部にシリンダー装置の回転を防止することができる突出爪が形成されると共に、前記シリンダー装置は、モーターと、前記モーターを収容するシリンダーと、前記シリンダーの前に位置し前記モーターが正回転することによって上部が傾いて前記ハウジングの突出爪と結合し、前記モーターが逆回転することによって前記ハウジングの突出爪との結合が解除されるリセスが形成されるチルト器具と、前記チルト器具に結合するロッキングプレートのアダプターと、前記ロッキングプレートのアダプターに結合するロッキングプレートとを有することを特徴とするロック装置。
【発明の詳細な説明】
【技術分野】
【０００１】
本発明はロック装置に関するもので、より詳しくはモーターによってシリンダー装置の回転駆動が制御されるロック装置に関するものである。
【背景技術】
【０００２】
ロック装置は、シリンダー装置にキーを挿入してシリンダー装置を回転させてシリンダー装置に連結されたロッキングプレートを回転させて開けたりロックしたりする。
一般的なロック装置のロッキングプレートはシリンダー装置に機械的に連結されている。
しかしながら、ロッキングプレートがシリンダー装置に機械的に連結されたロック装置は、安全性の保障に構造的な限界がある。殆どのロック装置は承認されていないキーはシリンダー装置に挿入できないようになっているか、または仮に合わないキーが挿入されたとしてもシリンダー装置を回転させることができないように構成されている。しかし、一旦シリンダー装置が回転すれば、ロッキングプレートが駆動されてロックが解除される。
不法にロックを解除しようとする場合は、承認されていないキーまたは他の道具を挿入してシリンダー装置を回転させる。そして、一旦シリンダー装置が回転すれば、ロック装置のロックは解除される。また、シリンダー装置を破壊してロッキングプレートを駆動させる場合もある。
【発明の開示】
【発明が解決しようとする課題】
【０００３】
本発明は上記のように従来の問題点を解決するために、不法な方法によってシリンダー装置を回転させることができないロック装置を提供することを目的とする。
また、本発明はシリンダーが回転しなければロッキングプレートが動作しないロック装置を提供することを目的とする。
本発明の他の目的は、シリンダーを破壊してもロッキングプレートが動作できないロック装置を提供することである。
【課題を解決するための手段】
【０００４】
本発明の目的を達成するためのロック装置は、ハウジングと、ハウジングの中で回転するシリンダー装置とからなるロック装置において、前記ハウジングには内部にシリンダー装置の回転を防止することができる突出爪が形成されると共に、前記シリンダー装置は、モーターと、前記モーターを収容するシリンダーと、前記シリンダーの前に位置し前記モーターが正回転することによって上部が傾いて前記ハウジングの突出爪と結合し、前記モーターが逆回転することによって前記ハウジングの突出爪との結合が解除されるリセスが形成されるチルト器具と、前記チルト器具に結合するロッキングプレートのアダプターと、前記ロッキングプレートのアダプターに結合するロッキングプレートとを有する。
【０００５】
本発明で、モーターが正回転すれば、チルト器具の上部が傾いて上部に形成されたリセスがハウジングの突出爪と結合してシリンダー装置が回転できない状態になる。そして、モーターが逆回転すれば、傾いている状態にあるチルト器具は直立して上部に形成されたリセスがハウジングの突出爪から結合を解除されてシリンダー装置を回転させることができる状態になる。
【０００６】
本発明でモーターは、キーのＲＯＭに記憶されているコードとロック装置に設置されたＥＥＰＲＯＭのコードが一致した時に駆動するように構成されるが、この構造に関しては本発明の発明者によって発明された"電子式ロックのシステム"と言う名称で公開された韓国公開公報第２００１−０００１５５６号の技術を使うことができる。
韓国公開公報第２００１−０００１５５６号に開示されたロックシステムに使われるＲＯＭキーは、削除または変更が不可能な固有の電子コードを持つ。係る電子コードが入力されているＲＯＭを内装したキー（ＲＯＭキー）は、入力端子を通じてシステム内のＥＥＰＲＯＭに記憶され、後にＥＥＰＲＯＭに記憶された電子コードに一致する電子コードが入力された時、特定の機能を行う。
【０００７】
例えば、ＲＯＭキーの電子コードがどの段階でどんなＲＯＭキーによってシステム内のＥＥＰＲＯＭに記憶されるかによってお互いに違う機能を行う。同じＲＯＭキーによってシステム内のＥＥＰＲＯＭに記憶された電子コードを持つＲＯＭキーは同じ機能を行う。従って、ＥＥＰＲＯＭのメモリーの領域部分は同じ機能を持つ電子コードが対応する部分に記憶されるように分割されていることが好ましい。
【０００８】
即ち、同じ領域に記憶された電子コードを持つＲＯＭキーは、同じ機能を行うが、他の領域に記憶された電子コードを持つＲＯＭキーは他の機能を行う。係る体系になっているＲＯＭキーはいろいろなレベルで構成される。例えば、上位レベルのＲＯＭキーは下位レベルのＲＯＭキーを支配する。即ち、最上位レベルである第１レベルのＲＯＭキーは、特定のＲＯＭキーの電子コードをシステム内のＥＥＰＲＯＭに記憶させて第２レベルのＲＯＭキーとして動作するようにしたり、これを削除してＥＥＰＲＯＭに記憶された第１レベルのＲＯＭキーの電子コードを変更するのに使われる。また、第２レベルのＲＯＭキーは、特定のＲＯＭキーの電子コードをＥＥＰＲＯＭに記憶させて第３レベルまたは第４レベルのＲＯＭキーとして動作するようにしたり、これを削除して特定の機能を行うのに使われる。特定のＲＯＭキーが第３レベルのＲＯＭキーの機能を行うか、第４レベルのＲＯＭキーの機能を行うかは、第２レベルのＲＯＭキーのどの機能で特定のＲＯＭキーの電子コードをＥＥＰＲＯＭに記憶させたかによって定められる。第３レベルのＲＯＭキーは、特定のＲＯＭキーの電子コードをＥＥＰＲＯＭに記憶させて第４レベルのＲＯＭキーとして機能を行う。
【０００９】
ＥＥＰＲＯＭに既に記憶されているＲＯＭキーの電子コードを、入力端子を通じてＲＡＭに入力してＡＬＵを制御することによって、既にＥＥＰＲＯＭに記憶されている他のＲＯＭキーの電子コードをＥＥＰＲＯＭに記憶させたり、ＥＥＰＲＯＭから削除することができる。
【００１０】
上述のようにＥＥＰＲＯＭに既に記憶されているＲＯＭキーの電子コードは、ＲＯＭキーを入力端子と接触させて入力端子を通じてＲＯＭキー電子コードをＲＡＭに入力してＡＬＵが電子コードが一致したとみなした時に、記憶されたり特定の領域で削除される。
【発明の効果】
【００１１】
本発明によるロック装置によれば、不法な方法によってシリンダーが回転することがなく、ロッキングプレートが動作することがない。また、シリンダーを破壊したとしてもロッキングプレートが動作することがない。
【発明を実施するための最良の形態】
【００１２】
以下に、図面を参照して本発明によるロック装置を詳細に説明する。
図１は本発明のロック装置を示し、図１Ａは本発明のロック装置がロックされた状態を表す図面であり、図１Ｂは本発明のロック装置が開けられた状態を表す図面である。
本発明によるロック装置は図１Ａのようにロックされた状態でシリンダー装置にキーを挿入すれば、ハウジング１２の内部に位置するシリンダー装置を構成するモーターが駆動してシリンダー装置が回転できる状態になる。この状態でキーを回せばハウジング１２内のシリンダー装置が回転しシリンダー装置の回転軸２４５に連結されたロッキングプレート３４が回転してロック装置が開けられる。符号４４は本発明のロック装置を机の引出し、クローゼットの扉に設置するためのナットを表す。
【００１３】
図２は本発明のロック装置の分解斜視図である。そして、図３はハウジングの内部構造を表す切断斜視図である。
図２及び図３を参照すると、ロック装置１はハウジング１２とハウジング１２内に収容されるシリンダー装置１４を含む。ハウジング１２の内部は前後が開放された円筒型の空の空間１２１からなってシリンダー装置１４を収容する。ハウジング１２の空の空間１２１に収容されたシリンダー装置１４の回転軸は、ハウジングの前方の開放口を通じて外部に露出している。露出しているシリンダー装置の回転軸２４５にはロッキングプレート３４が取付けられる。キーはハウジング１２の後方の開放口を通じてハウジング１２の内部に位置するシリンダー装置１４と結合してシリンダー装置を回転させる。
【００１４】
ハウジング１２の前方は他の部分よりさらに突出しシリンダー装置の回転制限部１２３が形成されており、シリンダー装置の回転を制限する。より詳細には、回転制限部１２３はシリンダー装置１４が回転できる角度の範囲を制限する。ハウジング１２の内部にはシリンダー装置１４がハウジング１２から抜けないようにするスナップリングの締結溝１２７が形成され、スナップリングの締結溝１２７の後方に突出部が形成されてシリンダー装置１４の回転を防止するシリンダー装置の回転防止部１２５を形成する。
【００１５】
シリンダー装置１４は円筒型になっているシリンダー１６を含む。シリンダー１６の中にはモーター１８が収容されている。シリンダー１６の前方はモーターの回転軸が抜け出るモーターの回転軸の開放口１６１と、ボルトの締結口１６５、１６７が形成される。シリンダー１６内に収容されたモーターの回転軸１８１は、シリンダー１６の前面に形成された開放口１６１を通じてシリンダー１６の外部に露出される。
【００１６】
シリンダー１６の外部に露出したモーターの回転軸１８１にはワームギア１８３が固定されている。シリンダー１６の前方にはチルト器具２２の回転を防止する回転防止部１６３が突出している。そして、シリンダー１６の後方にはキー結合装置１６９が固着される。キー結合装置１６９は電気的にキーの内部の識別番号を認識するように構成され、また、構造的にはキーを回転させることによってシリンダー装置を回転させる構造になっている。係るキー結合装置の構造はいろいろな形態で製作できる。
【００１７】
シリンダー１６の前方にチルト器具２２が位置し、チルト器具２２の前方にはロッキングプレートのアダプター２４が位置する。
チルト器具２２は概ね円板形になっているが、チルト器具２２の上方及び下方にはリセス２２１、２２３が形成され、真ん中には穴２２５が形成される。そして、穴２２５の両側にはボルト貫通穴２３１、２３３が形成される。
シリンダー１６の前面に形成された開放口１６１を通じてシリンダー１６の外部に露出したモーターの回転軸１８１のワームギア１８３は、チルト器具２２の穴２２５を通過する。チルト器具２２にはフック形の板スプリング２２７が設置される。フック形の板スプリング２２７の一端はネジ２２９によってチルト器具２２に固定され、他端は穴２２５の中に位置するモーターの回転軸１８１のワームギア１８３に挿入される。シリンダー１６の前方に形成された回転防止爪１６３はチルト器具２２の下方に形成されたリセス２２３に挟まれてチルト器具２２が回転するのを防止する。従って、モーターが正方向に回転すればフック形の板スプリング２２７はワームギア１８３に沿って前進し、モーターが逆方向に回転すればフック形の板スプリング２２７はワームギア１８３に沿って後退する。板スプリング２２７がワームギア１８３に沿って前進すれば、チルト器具２２は右側に傾くようになり、板スプリング２２７がワームギア１８３に沿って後退すれば、チルト器具２２は直立する。板スプリング２２７がワームギア１８３に沿って前進して、チルト器具２２が右側に傾くようになれば、チルト器具２２の上方に形成されたリセス２２１にはハウジング１２のシリンダー装置の回転防止部１２５が挟まれるようになってシリンダー装置全体が回転するのを防止する。
【００１８】
チルト器具２２の前方に位置するアダプター２４は、スナップリング２８によってハウジング１２に固定される。アダプター２４は、前方にはロッキングプレート３４を挟むボス２４１が突出し、該突出部の両側には締結ボルトの結合穴２４３、２４５が形成される。
締結ボルト２６は、アダプター２４のボルトの貫通穴２４３、２４５及びチルト器具２２のボルトの貫通穴２３１、２３３を通過して結合穴１６５、１６７に挿入される。
【００１９】
板スプリング２２７がワームギア１８３に沿って前進すれば、チルト器具２２が右側に傾くようにするためロッキングプレートのアダプターの後ろ側の下に他の面よりさらに突出してチルト器具のチルトエッジ部２４７が形成される。
ロッキングプレートのアダプター２４のボス２４１にはストッパー３２、ロッキングプレート３４、そして、ワッシャー３６が順に挟まれ、締結ナット３８によって締結される。
ボス２４１に挟まれるストッパー３２は、ハウジングの前面に突出したシリンダー装置の回転制限部１２３と共に動作してアダプター２４の回転範囲を制限する。
【００２０】
次に、本発明のロック装置の動作を説明する。
図４は、ロック装置が開けられた状態を示し、図４Ａは本発明のロック装置が開けられた状態でハウジングを切断して内部を表した斜視図であり、図４Ｂは図４Ａの状態でのシリンダー１６、チルト器具２２及びハウジングの回転防止部１２５の関係を表す図面である。
図５は、ロック装置がロックされた状態を示し、図５Ａは本発明のロック装置がロックされた状態でハウジングを切断して内部を表した斜視図であり、図５Ｂは図５Ａの状態でのシリンダー１６、チルト器具２２及びハウジングの回転防止部１２５の関係を表す図面である。
【００２１】
図６は、ロックされたロック装置を開ける動作を示し、図６Ａは本発明のロック装置を開けることができる状態でハウジングを切断して内部を表した斜視図であり、図６Ｂは図６Ａの状態でのシリンダー１６、チルト器具２２及びハウジングの回転防止部１２５の関係を表す図面である。
図４Ａ及び図４Ｂを参照すると、ロック装置１が開けられた状態では、シリンダー装置は回転してロッキングプレート３４を垂直に立てる。この時、チルト器具２２はシリンダー１６の方に後退して斜めになった状態から垂直に立つと共に回転して、チルト器具２２の上方に形成されたリセス２２１はハウジングの回転防止部１２５から外れて回転防止部１２５に対して概ね直角をなす。そして、ストッパー３２に形成された突出部３２５はハウジングの回転防止部１２５に当たってシリンダー装置がそれ以上回転できなくなる。
【００２２】
開けられた状態のロック装置をロックするためにキーを挿入すれば、ハウジング内のシリンダーの中に位置するモーター１８が正回転する。モーターが正回転することによって板スプリング２２７の一端はワームギア１８３に沿って前進する。このとき板スプリング２２７と結合されたチルト器具２２も前進する。そして、チルト器具の下部はロッキングプレートのアダプター２４の後方に突出したエッジ部２４７によって傾けられる。この状態でキーでシリンダー装置１４を回転させれば、ロッキングプレートも回転する。この時、チルト器具２２の上方のリセス２２１はハウジングの回転防止部１２５に挿入されて、シリンダー装置がそれ以上回転できなくなってロック装置がロックされる。
【００２３】
図５Ａ及び図５Ｂはロックされた状態のロック装置１を表す図面である。ロックされた状態のロック装置１において、チルト器具２２の上方のリセス２２１は、ハウジングの回転防止部１２５に挿入されて、シリンダー装置はそれ以上回転できない状態になる。
図５Ａ及び図５Ｂのロック状態のロック装置を開けるためにキーを挿入すれば、モーター１８が逆方向に回転する。するとフック形の板スプリング２２７はワームギア１８３に沿って後退しながらチルト器具を後退させる。この場合、チルト器具２２の上方のリセス２２１はハウジングの回転防止部１２５から外れてシリンダー装置を回転させることができる状態になる。この状態でキーを回転させれば、シリンダー装置が回転し、ロッキングプレートも開けられる状態になる。図４はロック装置が開けられた状態を表す。この時、ストッパー３２に形成された突出部３２５は、ハウジングの回転防止部１２５に当たるようになり、シリンダー装置はそれ以上回転できない状態になる。
【産業上の利用可能性】
【００２４】
本発明のロック装置は、電子ドアのロック装置として広く利用される。
【図面の簡単な説明】
【００２５】
【図１Ａ】本発明のロック装置がロックされた状態を表す図面である。
【図１Ｂ】本発明のロック装置が開けられた状態を表す図面である。
【図２】本発明のロック装置の分解斜視図である。
【図３】本発明のハウジングの内部構造を表す切断斜視図である。
【図４Ａ】本発明のロック装置が開けられた状態で、ハウジングを切断して内部を表した斜視図である。
【図４Ｂ】図４Ａの状態でシリンダー、チルト器具及びハウジングの回転防止部の関係を表す図面である。
【図５Ａ】本発明のロック装置がロックされた状態で、ハウジングを切断して内部を表した斜視図である。
【図５Ｂ】図５Ａの状態でシリンダー、チルト器具及びハウジングの回転防止部の関係を表す図面である。
【図６Ａ】本発明のロック装置を開けることができる状態で、ハウジングを切断して内部を表した斜視図である。
【図６Ｂ】図６Ａの状態でシリンダー、チルト器具及びハウジングの回転防止部の関係を表す図面である。
【図１】
2008538396.tif 000003
【図２】
2008538396.tif 000004
【図３】
2008538396.tif 000005
【図４】
2008538396.tif 000006
【図５】
2008538396.tif 000007
【図６】
2008538396.tif 000008
【図７】
2008538396.tif 000009
【図８】
2008538396.tif 000010
【図９】
2008538396.tif 000011
【図１０】
2008538396.tif 000012
【手続補正書】
【提出日】平成19年12月5日(2007.12.5)
【手続補正１】
【補正対象書類名】明細書
【補正対象項目名】００１２
【補正方法】変更
【補正の内容】
【００１２】
以下に、図面を参照して本発明によるロック装置を詳細に説明する。
図１は本発明のロック装置がロックされた状態を表す図面であり、図２は本発明のロック装置が開けられた状態を表す図面である。
本発明によるロック装置は図１のようにロックされた状態でシリンダー装置にキーを挿入すれば、ハウジング１２の内部に位置するシリンダー装置を構成するモーターが駆動してシリンダー装置が回転できる状態になる。この状態でキーを回せばハウジング１２内のシリンダー装置が回転しシリンダー装置の回転軸２４５に連結されたロッキングプレート３４が回転してロック装置が開けられる。符号４４は本発明のロック装置を机の引出し、クローゼットの扉に設置するためのナットを表す。
【手続補正２】
【補正対象書類名】明細書
【補正対象項目名】００１３
【補正方法】変更
【補正の内容】
【００１３】
図３は本発明のロック装置の分解斜視図である。そして、図４はハウジングの内部構造を表す切断斜視図である。
図３及び図４を参照すると、ロック装置１はハウジング１２とハウジング１２内に収容されるシリンダー装置１４を含む。ハウジング１２の内部は前後が開放された円筒型の空の空間１２１からなってシリンダー装置１４を収容する。ハウジング１２の空の空間１２１に収容されたシリンダー装置１４の回転軸は、ハウジングの前方の開放口を通じて外部に露出している。露出しているシリンダー装置の回転軸２４５にはロッキングプレート３４が取付けられる。キーはハウジング１２の後方の開放口を通じてハウジング１２の内部に位置するシリンダー装置１４と結合してシリンダー装置を回転させる。
【手続補正３】
【補正対象書類名】明細書
【補正対象項目名】００２０
【補正方法】変更
【補正の内容】
【００２０】
次に、本発明のロック装置の動作を説明する。
図５は本発明のロック装置が開けられた状態でハウジングを切断して内部を表した斜視図であり、図６は図５の状態でのシリンダー１６、チルト器具２２及びハウジングの回転防止部１２５の関係を表す図面である。
図７は本発明のロック装置がロックされた状態でハウジングを切断して内部を表した斜視図であり、図８は図７の状態でのシリンダー１６、チルト器具２２及びハウジングの回転防止部１２５の関係を表す図面である。
【手続補正４】
【補正対象書類名】明細書
【補正対象項目名】００２１
【補正方法】変更
【補正の内容】
【００２１】
図９は本発明のロック装置を開けることができる状態でハウジングを切断して内部を表した斜視図であり、図１０は図９の状態でのシリンダー１６、チルト器具２２及びハウジングの回転防止部１２５の関係を表す図面である。
図５及び図６を参照すると、ロック装置１が開けられた状態では、シリンダー装置は回転してロッキングプレート３４を垂直に立てる。この時、チルト器具２２はシリンダー１６の方に後退して斜めになった状態から垂直に立つと共に回転して、チルト器具２２の上方に形成されたリセス２２１はハウジングの回転防止部１２５から外れて回転防止部１２５に対して概ね直角をなす。そして、ストッパー３２に形成された突出部３２５はハウジングの回転防止部１２５に当たってシリンダー装置がそれ以上回転できなくなる。
【手続補正５】
【補正対象書類名】明細書
【補正対象項目名】００２３
【補正方法】変更
【補正の内容】
【００２３】
図７及び図８はロックされた状態のロック装置１を表す図面である。ロックされた状態のロック装置１において、チルト器具２２の上方のリセス２２１は、ハウジングの回転防止部１２５に挿入されて、シリンダー装置はそれ以上回転できない状態になる。
図７及び図８のロック状態のロック装置を開けるためにキーを挿入すれば、モーター１８が逆方向に回転する。するとフック形の板スプリング２２７はワームギア１８３に沿って後退しながらチルト器具を後退させる。この場合、チルト器具２２の上方のリセス２２１はハウジングの回転防止部１２５から外れてシリンダー装置を回転させることができる状態になる。この状態でキーを回転させれば、シリンダー装置が回転し、ロッキングプレートも開けられる状態になる。図５及び図６はロック装置が開けられた状態を表す。この時、ストッパー３２に形成された突出部３２５は、ハウジングの回転防止部１２５に当たるようになり、シリンダー装置はそれ以上回転できない状態になる。
【手続補正６】
【補正対象書類名】明細書
【補正対象項目名】００２５
【補正方法】変更
【補正の内容】
【００２５】
【図１】本発明のロック装置がロックされた状態を表す図面である。
【図２】本発明のロック装置が開けられた状態を表す図面である。
【図３】本発明のロック装置の分解斜視図である。
【図４】本発明のハウジングの内部構造を表す切断斜視図である。
【図５】本発明のロック装置が開けられた状態で、ハウジングを切断して内部を表した斜視図である。
【図６】図５の状態でシリンダー、チルト器具及びハウジングの回転防止部の関係を表す図面である。
【図７】本発明のロック装置がロックされた状態で、ハウジングを切断して内部を表した斜視図である。
【図８】図７の状態でシリンダー、チルト器具及びハウジングの回転防止部の関係を表す図面である。
【図９】本発明のロック装置を開けることができる状態で、ハウジングを切断して内部を表した斜視図である。
【図１０】図９の状態でシリンダー、チルト器具及びハウジングの回転防止部の関係を表す図面である。
【国際調査報告】
2008538396.tif 000013
2008538396.tif 000014